(57)【要約】【課題】設備が周波数変換器が過熱することによりジャンプアウトを防止でき、不良率を低減でき、原材料の損失を縮小できる過熱警告機能付きの周波数変換器を提供する。【解決手段】主として、整流回路と制御回路及び周波数変換駆動回路が含有され、制御回路は、更に、マイクロプロセッサーが設けられ、温度検知ユニットと警告装置はマイクロプロセッサーに連接され、温度検知ユニットにより周囲温度を検知し、また、温度値を信号に変換してマイクロプロセッサーに伝送し、温度検知ユニットによって検知された温度が予めに設定した値を超えると、警告装置がマイクロプロセッサーに対して信号を送信して警告し、操作者がそれに基づいて、予めメンテナンスの用意を行う。【選択図】図１
0003131857.tif 000002
【実用新案登録請求の範囲】
【請求項１】
主として、整流回路と制御回路及び周波数変換駆動回路が含有され、該制御回路は、更に、マイクロプロセッサーが設けられ、電圧周波数変換でモータを駆動する機能を有する周波数変換器であって、該制御回路のマイクロプロセッサーに連接され、該温度検知ユニットによって検知した周囲温度の温度値を信号に変換して該マイクロプロセッサーに伝送する温度検知ユニットと、該制御回路のマイクロプロセッサーに連接され、該温度検知ユニットによって検知した温度が、所定の予めに設定した値を超えた時、該マイクロプロセッサーに対して、信号を送信して警告する警告装置と、が含有される、ことを特徴とする過熱警告機能付き周波数変換器。
【請求項２】
該周波数変換器に、更に、温度表示と設定装置が含有され、該温度表示と設定装置が、マイクロプロセッサーに連接され、該温度検知ユニットによって検知した温度を表示することを特徴とする請求項１に記載の過熱警告機能付き周波数変換器。
【請求項３】
該温度検知ユニットが、正温度係数抵抗体（ＰＴＣ）であることを特徴とする請求項１に記載の過熱警告機能付き周波数変換器。
【請求項４】
該温度検知ユニットが、周波数変換駆動回路の放熱フィンに実装されることを特徴とする請求項１に記載の過熱警告機能付き周波数変換器。
【請求項５】
該温度検知ユニットが、モータ内に実装されることを特徴とする請求項１に記載の過熱警告機能付き周波数変換器。
【請求項６】
該警告装置が、警告灯であることを特徴とする請求項１に記載の過熱警告機能付き周波数変換器。
【請求項７】
該警告装置が、ブザーであることを特徴とする請求項１に記載の過熱警告機能付き周波数変換器。
【請求項８】
該温度検知ユニットに設定された予めに設定した値が、周波数変換器の過熱保護回路がジャンプアウトする温度より低いことを特徴とする請求項１に記載の過熱警告機能付き周波数変換器。
【考案の詳細な説明】
【技術分野】
【０００１】
本考案は、周波数変換器に関し、特に、過熱警告機能付き周波数変換器に関する。
【背景技術】
【０００２】
従来の周波数変換器は、主として、整流回路と制御回路及び周波数変換駆動回路が含有されることにより、周波数変換制御の効果が実現され、また、該制御回路に、更に、温度過熱ジャンプアウトの保護回路が連接され、これにより、該周波数変換器が、放熱不足や過負荷の時、遮断状態になり、過熱損害から、周波数変換器自身を保護するが、該周波数変換器に、過熱遮断の機能があるとしても、例えば、モータが、周波数変換器の遮断により、稼働を停止すると、設備が、予期しないジャンプアウトされ、生産ライン全体に対して、膨大の損失を来たし、製品の不良率や原材料の損失等が増大し、そのため、常に、設備の稼働が正常がを検査する必要があり、これにより、メンテナンスのコストが高くなり、そのため、該周波数変換器を改善することが至急の課題である。
【考案の開示】
【考案が解決しようとする課題】
【０００３】
本考案の目的は、温度検知ユニットと警告装置が、該制御回路のマイクロプロセッサーに連接され、該温度検知ユニットにより周囲温度を検知し、また、温度値を信号に変換して該マイクロプロセッサーへ伝送し、該温度検知ユニットによって検知された温度が、予めに設定した値を超えると、該警告装置により、該マイクロプロセッサーに対して信号を伝送して警告し、該警告装置による警告機能により、作業員に、設備を保養すべきことを知らせて、設備が、過熱によるジャンプアウトすることを防止し、これにより、不良率を低減して、原材料の損失を縮小する過熱警告機能付き周波数変換器を提供する。
【課題を解決するための手段】
【０００４】
図１は、本考案のより良い実施例のブロック図であり、該周波数変換器１０は、主として、整流回路１１と制御回路１２及び周波数変換駆動回路１３が含有され、該制御回路１２は、更に、マイクロプロセッサー１４が設けられ、これにより、該周波数変換器１０は、電圧周波数変換でモータ１５を駆動する機能を有し、その特徴として、温度検知ユニット１６と、警告装置１７と、温度表示と設定装置１８とが含有される。
【０００５】
温度検知ユニット１６は、該制御回路１２のマイクロプロセッサー１４に連接され、周波数変換駆動回路１３の放熱フィンに実装され、本実施例において、該温度検知ユニット１６は、正温度係数抵抗体（ＰＴＣ）であり、該温度検知ユニット１６により、周波数変換駆動回路１３の放熱フィンの温度を検知して、温度値を信号に変換して該マイクロプロセッサー１４に伝送し、また、該温度検知ユニット１６に設定された予めに設定した値が、該周波数変換器１０過熱保護回路がジャンプアウトする温度より低い。
【０００６】
警告装置１７は、該制御回路１２のマイクロプロセッサー１４に連接され、該温度検知ユニット１６によって検知された温度が、予めに設定した値を超えると、該警告装置１７が、該マイクロプロセッサー１４に対して、信号を送信して警告し、また、該警告装置１７は、警告灯やブザーである。
【０００７】
温度表示と設定装置１８は、該マイクロプロセッサー１４に連接され、該温度検知ユニット１６によって検知された温度を表示し、また、温度の予めに設定した値を設定する。
【０００８】
図２は、本考案の他のより良い実施例のブロック図であり、上記の実施例と異なる箇所は、該温度検知ユニット１６が、該制御回路１２のマイクロプロセッサー１４に連接され、該モータ１５内に実装され、該温度検知ユニット１６により、モータ１５の温度を検知して、温度値を信号に変換し、該マイクロプロセッサー１４に伝送するのである。
【考案を実施するための最良の形態】
【０００９】
以下、図面を参照しながら、本考案に係わる構造の特徴や技術手段及び予期の効果を、具体的に説明する。
【００１０】
電源１９をＯＮにすると、設備が稼働し始め、該整流回路１１から、該制御回路１２と周波数変換駆動回路１３に対して、電源を供給して、該モータ１５を駆動し、該温度検知ユニット１６により、周囲温度を検知し始め、また、該センサー１４に伝送し、該温度表示と設定装置１８により、該マイクロプロセッサー１４の信号を受信し、作業員が、該温度表示と設定装置１８に表示された温度により、該温度検知ユニット１６による検知された温度状況を了解し、該温度検知ユニット１６によって検知された温度が、予めに設定した値を超えると、該マイクロプロセッサー１４から、該警告装置１７に対して信号を送信して警告するように指示し、作業員が、該警告により、稼働を停止する前、メンテナンスを行うことができる。
【００１１】
本考案の特徴や予期の効果が、次の通りである。
１、本考案によれば、温度検知ユニットにより、周囲温度を検知し、温度値を信号に変換して該マイクロプロセッサーに伝送し、また、該警告装置による警告機能により、作業員に、保養時間を知らせ、設備が、過熱によるジャンプアウトすることにより、生産停止を防止し、そして、不良率の低減や原材料の損失縮小を実現し、また、メンテナンスコストを低減できる。
２、本考案によれば、温度表示と設定装置により、該温度検知ユニットによって検知した温度を表示することにより、作業員が、現在の温度値を分かり、また、現場環境に合わせて、予めに設定した温度値を設定でき、使用上、非常に便利且つ実用的である。
【図面の簡単な説明】
【００１２】
【図１】本考案のより良い実施例の回路ブロック図
【図２】本考案の他のより良い実施例の回路ブロック図
【符号の説明】
【００１３】
１０      周波数変換器
１１      整流回路
１２      制御回路
１３      周波数変換駆動回路
１４      マイクロプロセッサー
１５      モータ
１６      温度検知ユニット
１７      警告装置
１８      温度表示と設定装置
１９      電源
【図１】
0003131857.tif 000003
【図２】
0003131857.tif 000004